(57)【要約】【課題】経済性に優れるのみならず、どのようなフィールドにおいても根掛かりの極小化とフッキング率の極大化とをバランスよく実現することが可能な、環境負荷低減性に優れた使い勝手のよいジグヘッドを提供する。【解決手段】ジグヘッド(１０)を次のように構成した。すなわち、シンカー(１２)と、上記シンカー(１２)に固定されたフック(１４)と、上記フック(１４)が根掛かりするのを抑制するブラシガード(１６)とを備える。上記シンカー(１２)は、その上面に装着穴(１８)が穿設されており、上記ブラシガード(１６)は、上記の装着穴(１８)に対して着脱可能に設計された装着部材(２０)と、その装着部材(２０)に取着されたブラシ(２２)とで構成される。【選択図】図１
2016002006.tif 000002
【特許請求の範囲】
【請求項１】
シンカー(１２)と、上記シンカー(１２)に固定されたフック(１４)と、上記フック(１４)が根掛かりするのを抑制するブラシガード(１６)とを備えたジグヘッドであって、
上記シンカー(１２)は、その上面に装着穴(１８)が穿設されており、
上記ブラシガード(１６)は、上記の装着穴(１８)に対して着脱可能に設計された装着部材(２０)と、その装着部材(２０)に取着されたブラシ(２２)とで構成される、
ことを特徴とするジグヘッド。
【請求項２】
請求項１のジグヘッドにおいて、
前記の装着穴(１８)には雌ネジ(２４)が形成されると共に、
前記の装着部材(２０)には上記の雌ネジ(２４)と螺合する雄ネジ(２６)が形成される、
ことを特徴とするジグヘッド。
【請求項３】
請求項１のジグヘッドにおいて、
前記の装着穴(１８)の内周面には、１又は複数列の周方向溝(２８)が凹設されており、
前記の装着部材(２０)を上記の装着穴(１８)へ挿入した際に上記の周方向溝(２８)に対応する上記の装着部材(２０)の位置には、弾性材料からなり上記の周方向溝(２８)に係合する突環部(３０)が形成される、
ことを特徴とするジグヘッド。
【発明の詳細な説明】
【技術分野】
【０００１】
本発明は、根がかり防止用のブラシガードを有するジグヘッドの改良に関し、更に詳しくはブラシガードの改良に係る。
【背景技術】
【０００２】
主として淡水においてブラックバスを釣る際に使用するルアー(疑似餌)の一つにラバージグがある。このラバージグは、ジグヘッドに多数のゴム糸等からなるスカートを装着したものであり、このうちジグヘッドは、シンカーと、このシンカーに固定されたフックとで構成される。
大略、以上のように構成されたラバージグを用いて実釣する際には、ワームなどのトレーラーを装着し、或いはトレーラーを装着せずそのまま所定のポイントにキャストする。そして、キャストしたラバージグの着底を確認した後、上記シンカーに連結させたライン(釣糸)を操作してラバージグにアクションを加えるか、或いは、ポイントにキャストしたラバージグが所定のレンジ(水深)に達した段階でリトリーブ等を開始する。そうすると、水中で上記スカートが揺らめき、これが魚に対してあたかもベイト(餌)であるかのようにアピールする。
【０００３】
ここで、一般的にラバージグは、上述のように、着底させた後にアクションを加えるか、或いは所定のレンジに達した後にリトリーブ等を開始して使用するものであるから、釣場の状況によっては、湖底や川底の水草或いは倒木と言った様々なストラクチャーにフックが引っ掛かる所謂「根掛かり」が頻発するという問題があった。
【０００４】
そこで、上記のような根掛かりを低減させるため、上記ジグヘッドにおけるシンカーのフック前方位置に、水草などのストラクチャーが上記フックに引っ掛からないよう押し退けるブラシガードを装着する技術が知られている。このうち、例えば、下記の特許文献１には、このブラシガードに関し、ブラシガードを構成する多数の毛の分布領域の形状を幅方向よりも前後方向において長くすることにより、釣り対象魚に対するジグヘッドのフッキング率を向上させる技術が開示されている。
【先行技術文献】
【特許文献】
【０００５】
【特許文献１】特許４７７８４５１号公報
【発明の概要】
【発明が解決しようとする課題】
【０００６】
しかしながら、上記の従来技術には、次のような問題があった。
すなわち、上記従来のジグヘッドでは、ブラシガードがシンカーに対して強固に固着された所謂「固定式」であるため、繰り返し使用することによってブラシガードが傷み、根掛かりが頻発するようになった場合には、ジグヘッド全体を交換しなければならず、不経済であるばかりか、資源の浪費にもなりかねない。
また、ジグヘッドにブラシガードを装着すると根掛かりを低減させることはできるものの、上記の特許文献１にもある通り、このブラシガードの装着によって釣り対象魚に対するフッキング率が低下するようになる。このため、比較的根掛かりが少ないポイントで使用するジグヘッドでは、ブラシガードを装着していない物やフッキング率の低下を抑制できるような柔軟なブラシガードを装着した物を使用すると言ったように、釣果を上げるためには、同じ重さ及び同じフックサイズのジグヘッドに対して、フィールドの根掛かり状況に合わせた様々な種類のブラシガードを装着した(或いはブラシガードを装着しない)物を用意しなければならず、リグの選択や管理が複雑になると言う問題も有った。
【０００７】
それゆえに、本発明の主たる課題は、経済性に優れるのみならず、どのようなフィールドにおいても根掛かりの極小化とフッキング率の極大化とをバランスよく実現することが可能な、環境負荷低減性に優れた使い勝手のよいジグヘッドを提供することである。
【課題を解決するための手段】
【０００８】
上記の課題を達成するため、本発明は、例えば、図１から図５に示すように、ジグヘッド１０を次のように構成した。
シンカー１２と、上記シンカー１２に固定されたフック１４と、上記フック１４が根掛かりするのを抑制するブラシガード１６とを備える。上記シンカー１２は、その上面に装着穴１８が穿設されており、上記ブラシガード１６は、上記の装着穴１８に対して着脱可能に設計された装着部材２０と、その装着部材２０に取着されたブラシ２２とで構成される。
ここで、シンカー１２の「上面」とは、図１に示す姿勢での上面であって、例えば、キャストしたジグヘッドが水中をフォールして着底した際に採る姿勢がこの図１の姿勢にあたる。
【０００９】
本発明は、次の作用効果を奏する。
ブラシガード１６を着脱可能に構成しているため、ジグヘッド１０を繰り返し使用することによってブラシガード１６が傷み、根掛かりが頻発するようになった場合には、ブラシガード１６のみを交換すればよい。また、ブラシガード１６を形成するブラシ２２の数や太さ・剛度などを変更した様々な種類のブラシガード１６を準備しておくことにより、フィールドの根掛かり状況に応じて最大限のフッキング率を得られるようなブラシガード１６を選択することができるようになる。
【００１０】
本発明においては、前記の装着穴１８に雌ネジ２４を形成すると共に、前記の装着部材２０に上記の雌ネジ２４と螺合する雄ネジ２６を形成することが好ましい。
この場合、シンカー１２とブラシガード１６との結合を強固にすることができる。
【００１１】
また、本発明においては、前記の装着穴１８の内周面に、１又は複数列の周方向溝２８を凹設し、前記の装着部材２０を上記の装着穴１８へ挿入した際に上記の周方向溝２８に対応する上記の装着部材２０の位置に、弾性材料からなり上記の周方向溝２８に係合する突環部３０を形成することが好ましい。
この場合、装着穴１８にブラシガード１６の装着部材２０を圧入するだけで、シンカー１２へのブラシガード１６の取り付けを完了させることができる。
【００１２】
さらに、本発明は、後述する実施形態に記載された特有の構成を付加することが好ましい。
【発明の効果】
【００１３】
本発明によれば、経済性に優れるのみならず、どのようなフィールドにおいても根掛かりの極小化とフッキング率の極大化とをバランスよく実現することが可能な、環境負荷低減性に優れた使い勝手のよいジグヘッドを提供することができる。
【図面の簡単な説明】
【００１４】
【図１】この発明の一実施形態のジグヘッドとこれを用いたラバージグとを示す図で、Ｆｉｇ．１Ａはジグヘッドを示す斜視図であり、Ｆｉｇ．１Ｂはラバージグを示す斜視図である。
【図２】この発明の一実施形態のラバージグの構造を示す分解斜視図である。
【図３】この発明の一実施形態のジグヘッドの要部を示す拡大部分断面図である。
【図４】この発明の他の実施形態のジグヘッドの要部を示す拡大部分断面図である。
【図５】図４に示す実施形態のジグヘッドの装着部材を示す斜視図である。
【発明を実施するための形態】
【００１５】
以下、本発明の一実施形態を図１から図３によって説明する。
図１は、本発明にかかる第１実施形態のジグヘッド１０とこれを用いたラバージグ１００とを示す図であり、Ｆｉｇ．１Ａはジグヘッド１０を示し、Ｆｉｇ．１Ｂはラバージグ１００を示す。また、図２は、Ｆｉｇ．１Ｂのラバージグ１００を分解した状態を示すものであり、図３は、第１実施形態のジグヘッド１０の要部拡大部分断面図である。
これらの図が示すように、本発明のジグヘッド１０は、シンカー１２、フック１４及びブラシガード１６により大略構成されている。
【００１６】
シンカー１２は、例えば、鉛やその合金，タングステンやその合金と言った金属材料やこの金属材料に樹脂を混合した物など、淡水或いは海水よりも高比重な材料で形成される。なお、図示実施形態ではシンカー１２が流線型にて形成されているが、このシンカー１２の形状は上記のものに限定されるものではなく、例えば、球状などであってもよい。
このシンカー１２にはラインアイ１２ａと（必要に応じて）テール１２ｂとが設けられる。このうち、ラインアイ１２ａは、シンカー１２の先端に取り付けられたリング状の部材で、ジグヘッド１０を使用する際には、図２に示すように、このラインアイ１２ａにライン３４の先端が結束される。一方、テール１２ｂは、シンカー１２の後端が突起状に延設された部分で、後述するようにフック１４の端部が埋設されると共に、ラバージグ１００を構成する際にスカート３２が取着される。
そして、このシンカー１２の上面には、装着穴１８が穿設されている。
【００１７】
この装着穴１８は、ブラシガード１６を着脱可能に取り付けるための穴で、その中心軸が後述するフック１４のティップ１４ｃ側に向けて若干傾斜するように穿設されている。
そして、この装着穴１８の内面には、図２に示すように、雌ネジ２４が螺設されている。
【００１８】
フック１４は、金属線材を曲げ加工等して形成される鉤状の部材である。このフック１４は、略直線状のシャンク１４ａと、このシャンク１４ａの先端に連設された略J字状のベンド１４ｂとで構成される。このうち、シャンク１４ａの後端は、シンカー１２のテール１２ｂに埋設されており、これによりシンカー１２にフック１４が堅固に固定される。なお、シンカー１２にテールが形成されていない場合には、シャンク１４ａの後端がシンカー１２に直接埋設される。また、ベンド１４ｂの先端であるティップ１４ｃの近傍には、バーブ１４ｄが設けられている。
ここで、図１のＦｉｇ．１Ａ中の符号３６は、フック１４に取り付けたワーム(図示せず)がフック１４から離脱しないように保持する抜止め部材である。
【００１９】
ブラシガード１６は、装着部材２０とその装着部材２０に取着されたブラシ２２とで大略構成されている。
【００２０】
装着部材２０は、ナイロン等の合成樹脂や金属などの硬質な材料からなり、シンカー１２の装着穴１８に対して着脱可能な形状にて設計された部材で、図示実施形態のものでは、略円柱状に形成されている。そして、この装着部材２０の外周面には、図２及び図３に示すように、装着穴１８の雌ネジ２４に螺合する雄ネジ２６が螺設されている。そして、この装着部材２０の上面には、その中心軸に沿ってブラシ２２を取り付けるためのブラシ取付穴２０ａが堀設されている(図３参照)。
【００２１】
ブラシ２２は、ナイロン等の合成樹脂やステンレス等の金属などからなる多数の毛で構成された部材である。このブラシ２２は、その一端が上記の装着部材２０のブラシ取付穴２０ａに嵌め込まれると共に、例えば接着剤やホットメルトなどの接合手段３６を用いてブラシ取付穴２０ａから脱落しないように固定される。
ここで、ブラシ２２を構成する毛の材質，太さや長さ，或いは本数などは、目的とする根掛かり抑制効果等に応じて適宜設定される。
【００２２】
以上のように構成されたジグヘッド１０を使用する際には、図３に示すように、シンカー１２の装着穴１８の雌ネジ２４にブラシガード１６の装着部材２０の雄ネジ２６を螺合させ、シンカー１２からブラシガード１６が容易に外れないよう堅固に固定する。
ここで、図３に示す例では、装着穴１８の奥部にゴム弾性を有するクッション部材４０を埋設している。このようなクッション部材４０を埋設することにより、装着穴１８に装着部材２０をねじ込む際には、クッション部材４０が圧縮される際の抵抗が作業者にとって心地よい締め付け感となって現れる。逆に、装着穴１８にねじ込んだ装着部材２０を取り外す際には、クッション部材４０の弾性回復力のアシストを受けることができるようになり、装着部材２０を装着穴１８からスムーズに取り外すことができる。
【００２３】
そして、かかるジグヘッド１０を用いて図１のＦｉｇ．１Ｂに示すようなラバージグ１００を作成する際には、シンカー１２とフック１４との固定部分であるテール１２ｂにスカート３２を取り付ける。
ここで、スカート３２とは、多数のゴム糸３２ａを束ねてなる部材であり、ゴムバンドや紐を用いてテール１２ｂに固定される。
【００２４】
本実施形態のジグヘッド１０及びこれを用いたラバージグ１００によれば、ブラシガード１６を着脱可能に構成しているため、ジグヘッド１０及びこれを用いたラバージグ１００を繰り返し使用することによってブラシガード１６が傷み、根掛かりが頻発するようになった場合には、ブラシガード１６のみを交換すればよい。また、ブラシガード１６を形成するブラシ２２の数や太さ・剛度などを変更した様々な種類のブラシガード１６を準備しておくことにより、フィールドの根掛かり状況に応じて最大限のフッキング率を得られるようなブラシガード１６を選択することができるようになる。さらに、シンカー１２の装着穴１８に設けた雌ネジ２４とブラシガード１６の装着部材２０に設けた雄ネジ２６とを螺合させているので、シンカー１２に対するブラシガード１６の取付を強固にすることができる。
【００２５】
なお、上述の実施形態では、シンカー１２の装着穴１８とブラシガード１６の装着部材２０との係合構造として、雌ネジ２４及び雄ネジ２６を設ける場合を示したが、上記の係合構造を、次のように構成することもできる。
すなわち、図４及び図５に示すように、装着穴１８の内周面に上下２列の周方向溝２８を凹設し、装着部材２０をゴムなどの弾性材料で形成すると共に、この装着部材２０を上記の装着穴１８へ挿入した際に上記の周方向溝２８に対応する位置に、当該周方向溝２８に係止される上下２列の突環部３０を突設させる。
【００２６】
かかる実施形態のジグヘッド１０によれば、装着穴１８にブラシガード１６の装着部材２０を圧入するだけで、圧入時の応力によって突環部３０が弾性変形し、装着部材２０を装着穴１８内に挿入した後、周方向溝２８の部分に達した突環部３０が自身の弾性回復力によってその形状が回復し、突環部３０が周方向溝２８に係合される。これにより、シンカー１２へのブラシガード１６の取り付けが完了となる。逆に、ブラシガード１６をシンカー１２から取り外す際には、ブラシガード１６のブラシ２２の部分等を握って引き抜くだけで、かかる引き抜き応力により突環部３０が弾性変形して周方向溝２８から引き抜かれ、シンカー１２からブラシガード１６が離脱する。
【００２７】
なお、図４及び図５では、周方向溝２８及び突環部３０を上下に２列設ける場合を示しているが、周方向溝２８及びこれに対応する突環部３０は１列でもよいし３列以上であってもよい。また、装着部材２０と突環部３０とを共に弾性材料で一体的に形成する場合を示したが、上記の作用を奏するためには、少なくとも突環部３０が弾性材料で形成されていればよい。
【００２８】
そして、図４及び図５に示す実施形態では、装着部材２０の先端部２０ｘを、先端に向かってその外径が縮径するテーパー形状にしているが、かかる形状により装着部材２０を装着穴１８へ挿入し易くなっている。この点については上述した図１乃至３に示す実施形態でも同様である。
【符号の説明】
【００２９】
１０：ジグヘッド，１２：シンカー，１４：フック，１６：ブラシガード，１８：装着穴，２０：装着部材，２２：ブラシ，２４：雌ネジ，２６：雄ネジ，２８：周方向溝，３０：突環部，３２：スカート，１００：ラバージグ．
【図１】
2016002006.tif 000003
【図２】
2016002006.tif 000004
【図３】
2016002006.tif 000005
【図４】
2016002006.tif 000006
【図５】
2016002006.tif 000007